(57)【要約】【課題】ユーザーの負担を軽減しつつ、薬剤認識の正確性を向上する。【解決手段】  画像処理システム１は、薬剤の載置台１３、薬剤を撮像する撮像装置２０、ドーム型照明３２、リング型照明３１、データベース４０及び画像処理装置５０を備える。ドーム型照明３２は、撮像装置２０の下方で覆った載置台１３上の薬剤の上面に光を照射し、リング型照明３１は、側方から囲った載置台１３上の薬剤の頂部に光を照射する。データベース４０は、複数種類の薬剤の外形情報及びマーカー情報を予め登録する。画像処理装置５０は、ドーム型照明３２を用いて薬剤を撮像した第１画像と各外形情報とを比較して、第１画像の薬剤の外形に類似する外形情報を候補として検出する。画像処理装置５０は、候補の外形情報に対応するマーカー情報が刻印である場合、リング型照明３１を用いて薬剤を撮像した第２画像とそのマーカー情報とを比較して、薬剤の種類を認識する。【選択図】図１
2019154622.tif 000002
【特許請求の範囲】
【請求項１】
薬剤を載置する載置台と、
前記載置台に対向して配置され、前記薬剤を撮像する撮像装置と、
前記載置台と前記撮像装置との間に設けられ、前記載置台に載置された前記薬剤を覆い、前記薬剤の前記撮像装置側の面に向けて光を照射するドーム型照明と、
前記載置台に載置された前記薬剤を側方から囲い、前記薬剤の頂部に向けて光を照射するリング型照明と、
複数種類の前記薬剤のそれぞれについて、種類の識別のために外形情報及びマーカー情報からなる複数の識別情報を予め登録するデータベースと、
前記撮像装置及び前記ドーム型照明を用いて前記薬剤を撮像した第１画像と、前記複数の識別情報のそれぞれの前記外形情報とを比較して、前記第１画像に示される前記薬剤の外形に類似する前記外形情報の前記識別情報を、候補情報として検出し、
前記候補情報の前記マーカー情報が刻印である場合、前記撮像装置及び前記リング型照明を用いて前記薬剤を撮像した第２画像と、前記候補情報の前記マーカー情報とを比較して、前記薬剤の種類を判定する画像処理装置と、を備えることを特徴とする画像処理システム。
【請求項２】
前記ドーム型照明は、複数の光源群を備え、
前記各光源群は、前記載置台の中心の周りに間隔を空けて配置された複数の光源を備え、
前記複数の光源群は、前記載置台の中心に対してそれぞれ異なる仰角で配置され、仰角が大きくなるに連れて前記撮像装置の光軸から前記複数の光源までの距離が小さくなるように構成され、
前記リング型照明は、前記ドーム型照明の最も小さい仰角で配置された前記光源群で構成されることを特徴とする請求項１に記載の画像処理システム。
【発明の詳細な説明】
【技術分野】
【０００１】
本発明は、薬剤を撮像した画像に基づいてその種類を認識する画像処理システムに関する。
【背景技術】
【０００２】
病院の薬局や調剤薬局では、医師の発行した処方箋に基づいて、薬剤師が薬剤を調剤して患者に提供している。このとき、薬剤師は、膨大な種類の錠剤やカプセル等の薬剤から、処方箋に記載された薬剤を取り出すピッキング作業や、取り出した薬剤に間違いがないか確認する監査作業を行う。ここで、間違った薬剤を調剤する調剤ミスを防止することが求められている。
【０００３】
例えば、特許文献１の調剤検品システムは、薬剤の品目を特定する薬剤バーコードが記載されたバーコード部を付し、対応する薬剤が収納された薬剤収納体を調剤棚に多数個配列しておき、目的の薬剤収納体を選択するに際して、薬剤に対応する薬剤バーコードが予め記憶されたコンピュータに処方箋に記入された年月日、患者名、処方された薬剤の品目等の処方内容を予め入力し、調剤データとして記憶させてハンディターミナルに転送し、この調剤データを画面表示装置に所定の形態にて表示する。ハンディターミナルにより選択した薬剤収納体のバーコード部を読取り、調剤データ中の薬剤バーコードとバーコード部の薬剤バーコードとを照合し、一致すると、一致マークを画面表示装置に表示し、一致しないときには警報を鳴らす。
【先行技術文献】
【特許文献】
【０００４】
【特許文献１】特開２００２−２３６７４８号公報
【発明の概要】
【発明が解決しようとする課題】
【０００５】
しかしながら、上記の調剤検品システムでは、調剤棚に間違った薬剤が収納されると、薬剤認識の正確性が低下し、間違った薬剤が調剤棚から取り出されてそのまま使用されると、調剤ミスを発生させるおそれがある。また、調剤棚に収納する薬剤の追加や変更の度に、バーコードの付け替えをする手間が掛かり、また、ハンディターミナルを取り扱いながらピッキング作業を行うので、ユーザーに負担が掛かり、薬剤認識の作業性が低下するおそれがある。
【０００６】
本発明は上記した課題を解決すべくなされたものであり、ユーザーの負担を軽減しつつ、薬剤認識の正確性を向上することを目的とするものである。
【課題を解決するための手段】
【０００７】
本発明の画像処理システムは、上記した目的を達成するため、薬剤を載置する載置台と、前記載置台に対向して配置され、前記薬剤を撮像する撮像装置と、前記載置台と前記撮像装置との間に設けられ、前記載置台に載置された前記薬剤を覆い、前記薬剤の前記撮像装置側の面に向けて光を照射するドーム型照明と、前記載置台に載置された前記薬剤を側方から囲い、前記薬剤の頂部に向けて光を照射するリング型照明と、複数種類の前記薬剤のそれぞれについて、種類の識別のために外形情報及びマーカー情報からなる複数の識別情報を予め登録するデータベースと、前記撮像装置及び前記ドーム型照明を用いて前記薬剤を撮像した第１画像と、前記複数の識別情報のそれぞれの前記外形情報とを比較して、前記第１画像に示される前記薬剤の外形に類似する前記外形情報の前記識別情報を、候補情報として検出し、前記候補情報の前記マーカー情報が刻印である場合、前記撮像装置及び前記リング型照明を用いて前記薬剤を撮像した第２画像と、前記候補情報の前記マーカー情報とを比較して、前記薬剤の種類を判定する画像処理装置と、を備えることを特徴とする。
【０００８】
更に、上記した画像処理システムにおいて、前記ドーム型照明は、複数の光源群を備え、前記各光源群は、前記載置台の中心の周りに間隔を空けて配置された複数の光源を備え、前記複数の光源群は、前記載置台の中心に対してそれぞれ異なる仰角で配置され、仰角が大きくなるに連れて前記撮像装置の光軸から前記複数の光源までの距離が小さくなるように構成され、前記リング型照明は、前記ドーム型照明の最も小さい仰角で配置された前記光源群で構成されてもよい。
【発明の効果】
【０００９】
本発明によれば、ユーザーの負担を軽減しつつ、薬剤認識の正確性を向上することができる。
【図面の簡単な説明】
【００１０】
【図１】本発明の一実施形態に係る画像処理システムを前側から示す概要図である。
【図２】本発明の一実施形態に係る画像処理システムを左側から示す概要図である。
【図３】本発明の一実施形態に係る画像処理システムにおける動作を示すフローチャートである。
【発明を実施するための形態】
【００１１】
以下、図面を参照しつつ、本発明の実施形態について説明する。図１及び図２に示すように、本実施形態の画像処理システム１は、載置装置１０と、撮像装置２０と、照明装置３０と、データベース４０と、画像処理装置５０とを備え、認識対象の薬剤（例えば、錠剤やカプセル）の種類（製品種別）を認識するように構成される。図１及び図２では、各部間の接続を破線で示す。
【００１２】
載置装置１０は、認識対象の薬剤を載置するもので、例えば、筐体１１と、摺動板１２と、載置台１３とを備える。筐体１１は、上方から見て円形で、上面が開口した箱型形状に形成され、底面１１ａと底面１１ａに立設された円筒状の壁面１１ｂとを有する。壁面１１ｂの前面には、摺動板１２を引出可能な引出開口１１ｃが形成される。なお、筐体１１の底面１１ａには、摺動板１２の移動を支持するレール（図示せず）や溝（図示せず）が設けられてもよい。
【００１３】
摺動板１２は、前後方向に長く、筐体１１の引出開口１１ｃを介して筐体１１内に収納可能な板状に形成される。摺動板１２は、筐体１１の底面１１ａ上を摺動可能に構成され、摺動板１２の下面には、底面１１ａのレールや溝に対応する、溝やレールが設けられてもよい。摺動板１２の前面は、引出開口１１ｃを塞ぐ蓋状に形成され、摺動板１２を摺動する際に操作される取っ手を有してもよい。
【００１４】
載置台１３は、摺動板１２の上面に取り付けられる。載置台１３は、筐体１１内に収納された摺動板１２に対して、載置台１３の中心が筐体１１の底面１１ａの中心（下記の撮像装置２０のカメラ光軸Ａ（光軸））に対応するような位置に配置される。なお、載置台１３の上面には、載置台１３上に薬剤を載置した際の滑り止めが設けられてもよい。薬剤は、そのまま載置台１３に載置されてもよく、あるいは撮像装置２０側から見て透明材料の包装がされた状態で載置台１３に載置されてもよい。
【００１５】
なお、載置装置１０は、摺動板１２の収納や引出開口１１ｃの閉塞を検知する開閉センサー（図示せず）や、載置台１３に載置された薬剤を検知する薬剤センサー（図示せず）を備えてもよく、これらの検知結果を画像処理装置５０へ送信してもよい。
【００１６】
撮像装置２０は、認識対象の薬剤の画像を撮像するもので、例えば、ＣＣＤ等のカメラ２１と、カメラ２１に取り付けられたレンズ２２とを備える。撮像装置２０は、載置装置１０の筐体１１に収納された載置台１３にカメラ２１を対向させた状態で、載置台１３の上方に配置される。このとき、撮像装置２０は、カメラ２１及びレンズ２２の撮像中心となるカメラ光軸Ａが、筐体１１の底面１１ａの中心に対応するように位置決めされる。なお、撮像装置２０は、載置装置１０に対して固定して取り付けられてよく、例えば、筐体１１から上方に延びた支持棒に取り付けられてよい。撮像装置２０は、載置装置１０に対して、水平方向においては位置決めされるが、垂直方向には移動可能に構成されてもよく、カメラ２１及びレンズ２２を移動させるアクチュエータ（図示せず）を備えてもよい。
【００１７】
撮像装置２０は、画像処理装置５０に通信可能に接続される。撮像装置２０は、画像処理装置５０に制御されることによって撮像処理を行い、撮像結果の画像を画像処理装置５０へ送信する。
【００１８】
照明装置３０は、認識対象の薬剤に対して照明するもので、例えば、リング型照明３１と、ドーム型照明３２とを備える。照明装置３０は、載置装置１０の上方で、筐体１１の上面の開口を覆うように配置される。リング型照明３１及びドーム型照明３２の間には、それぞれの照明の干渉を防止する遮光体を設けてもよい。
【００１９】
リング型照明３１は、環状に形成され、筐体１１の上面に設けられる。例えば、リング型照明３１は、筐体１１の壁面１１ｂと同じ厚さを有し、壁面１１ｂから連続した内周面及び外周面を有する。リング型照明３１は、筐体１１と一体的に構成されてよく、あるいは、別体で構成されてもよい。
【００２０】
リング型照明３１は、水平方向において、カメラ光軸Ａと同じ中心を有して、カメラ光軸Ａから内周面までの距離を均一にし、垂直方向において、載置台１３に載置された薬剤の高さよりも長く構成される。即ち、リング型照明３１は、載置台１３に載置された薬剤を側方から囲うように構成される。
【００２１】
リング型照明３１は、その壁体に第１光源群３３を備え、第１光源群３３は、リング型照明３１の周方向に等間隔に配置された複数の第１光源３３ａからなる。各第１光源３３ａは、例えば、ＬＥＤで構成される。また、リング型照明３１は、内周面に沿って形成された拡散板３４を備える。
【００２２】
リング型照明３１において、複数の第１光源３３ａは、拡散板３４よりも径方向外側に配置され、拡散板３４に向けて光を照射し、拡散板３４は、拡散光をリング型照明３１の中心に向けて照射する。なお、リング型照明３１は、拡散光を載置台１３に載置された薬剤の頂部（撮像装置２０側の端部）に向けて照射するために、各第１光源３３ａが垂直方向においてこの頂部と同じ高さ又はこの頂部よりも僅かに上方に配置されるとよい。
【００２３】
リング型照明３１は、画像処理装置５０に通信可能に接続される。リング型照明３１は、画像処理装置５０に制御されることによって複数の第１光源３３ａの点灯及び消灯が切り換えられ、複数の第１光源３３ａは、個別に制御されてもよい。
【００２４】
ドーム型照明３２は、均一した所定の厚さを有する中空の半球状に形成され、リング型照明３１の上面に設けられる。例えば、ドーム型照明３２は、リング型照明３１と同じ厚さを有し、リング型照明３１から連続した内周面及び外周面を有する。ドーム型照明３２は、リング型照明３１と一体的に構成されてよく、あるいは、別体で構成されてもよい。
【００２５】
ドーム型照明３２は、水平方向において、カメラ光軸Ａと同じ中心を有して、垂直方向の位置に拘らずカメラ光軸Ａから内周面までの距離を均一にして構成される。また、ドーム型照明３２は、載置台１３上の中心の位置、好ましくは、それより薬剤の分だけ高い位置から、内周面までの距離を均一にして構成される。即ち、ドーム型照明３２は、載置台１３に載置された薬剤を上方から覆うように構成される。また、ドーム型照明３２の上面には、カメラ光軸Ａに対応する位置にカメラ開口３２ａが形成され、カメラ開口３２ａを介してドーム型照明３２内を臨むように撮像装置２０が設けられる。
【００２６】
ドーム型照明３２は、その壁体に複数の第２光源群３５（光源群）を備え、各第２光源群３５は、水平方向に平行なドーム型照明３２の周方向に等間隔に配置された複数の第２光源３５ａ（光源）からなる。各第２光源３５ａは、例えば、ＬＥＤで構成される。また、ドーム型照明３２は、内周面に沿って形成された拡散板３６を備える。
【００２７】
ドーム型照明３２において、複数の第２光源群３５は、載置台１３上の中心に対してそれぞれ異なる仰角で配置される。各第２光源群３５は、仰角が大きくなるに連れてカメラ光軸Ａから複数の第２光源３５ａまでの距離が小さくなるように構成される。なお、隣接する第２光源群３５は、複数の第２光源３５ａの周方向の位置をずらして配置されてよい。また、複数の第２光源３５ａは、拡散板３６よりも径方向外側に配置され、拡散板３６に向けて光を照射し、拡散板３６は、拡散光をドーム型照明３２の中心（載置台１３に載置された薬剤の上面（撮像装置２０側の面））に向けて照射する。
【００２８】
ドーム型照明３２は、画像処理装置５０に通信可能に接続される。ドーム型照明３２は、画像処理装置５０に制御されることによって複数の第２光源群３５の複数の第２光源３５ａの点灯及び消灯が切り換えられ、複数の第２光源群３５は、個別に制御されてもよく、更に、複数の第２光源３５ａは、個別に制御されてもよい。
【００２９】
データベース４０は、複数種類の薬剤のそれぞれについて、種類の識別のために外形情報及びマーカー情報からなる複数の識別情報を予め登録する。識別情報には、薬剤の種類も記録される。外形情報は、例えば、薬剤の外形や色を明瞭にした画像であり、外形の特徴点や特徴ベクトルを抽出し易い画像である。または、画像から抽出された外形の特徴点や特徴ベクトル自体を外形情報の識別情報としてもよい。マーカー情報は、薬剤の表面に付された印刷や刻印等のマーカーを明瞭にした画像であり、マーカーの特徴点や特徴ベクトルを抽出し易い画像である。または、画像から抽出されたマーカーの特徴点や特徴ベクトル自体をマーカー情報の識別情報としてもよい。データベース４０は、画像処理装置５０と通信可能に構成されていて、ユーザーが画像処理装置５０によって識別情報を登録してもよく、あるいは、データベース４０を直接操作して識別情報を登録してもよい。
【００３０】
画像処理装置５０は、認識対象の薬剤の種類を認識するもので、例えば、ＣＰＵ等からなる制御部５１と、ＲＯＭやＲＡＭ等からなる記憶部５２と、撮像装置２０や照明装置３０（リング型照明３１、ドーム型照明３２）と通信する通信部５３と、液晶ディスプレイやタッチパネル等からなる表示部５４と、キーボードやマウス等からなる操作部５５とを備える。また、画像処理装置５０は、カメラ制御部５６、照明制御部５７、画像処理部５８及び画像認識部５９を備える。
【００３１】
画像処理装置５０は、例えば、パーソナルコンピュータやタブレット端末等で構成されてよい。なお、表示部５４がタッチパネルからなる場合、表示部５４及び操作部５５は、一体的に構成されてよい。通信部５３は、撮像装置２０や照明装置３０と有線又は無線（例えば、赤外線やＢｌｕｅｔｏｏｔｈ（登録商標）等）で接続される。また、通信部５３は、上記に加えてデータベース４０にもインターネットやＬＡＮを介して有線や無線で接続される。
【００３２】
画像処理装置５０は、制御部５１が記憶部５２に記憶されたプログラムやデータに従って演算処理を実行して各部を制御するように構成される。なお、カメラ制御部５６、照明制御部５７、画像処理部５８及び画像認識部５９は、記憶部５２に記憶されるプログラムで構成されてよく、汎用のコンピュータの画像処理装置５０にインストールされるアプリケーションで構成されてもよい。画像処理装置５０は、ユーザーが操作部５５の操作によって入力した薬剤認識指示に応じて、撮像装置２０に薬剤の画像を撮像させ、その画像に基づいて薬剤の種類を認識する。
【００３３】
なお、画像処理装置５０は、薬剤認識指示が入力されたとき、撮像装置２０の開閉センサーが摺動板１２の未収納や引出開口１１ｃの開放を検知した場合、又は、撮像装置２０の薬剤センサーが薬剤を未検知の場合に、認識不可能として、表示部５４等によってエラーを報知してもよい。
【００３４】
カメラ制御部５６は、通信部５３を介して接続された撮像装置２０を制御して、撮像装置２０に撮像処理を実行させる。例えば、カメラ制御部５６は、上記した薬剤認識指示に応じて、載置装置１０の載置台１３上に載置された薬剤について、ドーム型照明３２を点灯して（図３のステップＳ１）撮像する第１撮像（図３のステップＳ２）と、リング型照明３１を点灯して（図３のステップＳ３）撮像する第２撮像（図３のステップＳ４）とを、順次実行させる。以下、ドーム型照明３２を用いて撮像した画像を第１画像と称し、リング型照明３１を用いて撮像した画像を第２画像と称する。カメラ制御部５６は、第１画像及び第２画像を、通信部５３を介して撮像装置２０から入力する。なお、カメラ制御部５６は、撮像装置２０の垂直移動を制御してもよい。
【００３５】
照明制御部５７は、通信部５３を介して接続された照明装置３０のリング型照明３１及びドーム型照明３２を制御して、リング型照明３１及びドーム型照明３２に照明処理を実行させる。例えば、照明制御部５７は、上記した第１撮像の際にドーム型照明３２を点灯させてリング型照明３１を消灯させる第１照明と、上記した第２撮像の際にリング型照明３１を点灯させてドーム型照明３２を消灯させる第２照明とを、順次実行させる。
【００３６】
なお、照明制御部５７は、本実施形態の第１照明や第２照明では、ドーム型照明３２の複数の第２光源群３５を一斉に点灯及び消灯させるが、複数の第２光源群３５を個別に点灯及び消灯させることもできる。また、照明制御部５７は、本実施形態の第１照明や第２照明では、各第２光源群３５の複数の第２光源３５ａを一斉に点灯及び消灯させるが、複数の第２光源３５ａを個別に点灯及び消灯させることもできる。更に、照明制御部５７は、本実施形態の第１照明や第２照明では、リング型照明３１の複数の第１光源３３ａを一斉に点灯及び消灯させるが、複数の第１光源３３ａを個別に点灯及び消灯させることもできる。
【００３７】
画像処理部５８は、カメラ制御部５６が撮像装置２０から入力した第１画像及び第２画像に対して、シャープ化や二値化等の所定の画像処理を施して、画像認識部５９による下記の画像認識に適した画像となるように加工する。例えば、画像認識部５９で第１画像に基づいて薬剤の外形認識を行う場合、画像処理部５８は、薬剤の外形や色が明瞭となるように第１画像に画像処理を施す。また、画像認識部５９で第１画像又は第２画像に基づいて薬剤のマーカー認識を行う場合、画像処理部５８は、薬剤の表面に付された印刷や刻印等のマーカーが明瞭となるように第１画像又は第２画像に画像処理を施す。
【００３８】
画像認識部５９は、データベース４０から複数の識別情報を入力し、画像処理部５８で画像処理された第１画像や第２画像と、各識別情報とを比較して、第１画像や第２画像に相当する識別情報、即ち、薬剤の種類を認識する。画像認識部５９は、薬剤の外形認識（図３のステップＳ５〜Ｓ６）とマーカー認識（図３のステップＳ７〜Ｓ９）とを順次実行する。
【００３９】
外形認識では、画像認識部５９は、画像処理部５８によって薬剤の外形や色を明瞭にした第１画像を入力し、この第１画像と、複数の識別情報の外形情報とを比較する（図３のステップＳ５）。例えば、画像認識部５９は、外形情報と同じ外形や色の画像が第１画像内に存在するかどうか、また存在するとすればどこに存在するかを、外形情報と第１画像との相対位置を網羅的に変化させて類似度を計測することで判定する。類似度の計測には、例えば、下記の数式に示す正規化相関や、輪郭線形状（エッジ要素）の比較が用いられる。正規化相関の数式において、外形情報の輝度値をＴ（ｉ，ｊ）で、第１画像の輝度値をＩ（ｉ，ｊ）で示す。座標（ｉ，ｊ）は、マーカー情報の画像の幅をｍ画素、高さをｎ画素としたとき、左上は（０，０）で示され、右下は（ｍ−１，ｎ−１）で示される。
【００４０】
【数１】
2019154622.tif 000003
【００４１】
そして、画像認識部５９は、外形情報及び第１画像に示された薬剤の外形や色の類似度が高い場合、第１画像の薬剤の外形や色に類似する外形情報に対応する識別情報を、候補情報として検出する（絞り込む）（図３のステップＳ６）。なお、画像認識部５９は、第１画像に関する候補情報を２つ以上検出してよい。
【００４２】
マーカー認識では、画像認識部５９は、画像処理部５８によって薬剤のマーカーを明瞭にした第１画像又は第２画像を入力し、第１画像又は第２画像と、候補情報のマーカー情報とを、候補情報毎に比較する。このとき、画像認識部５９は、マーカー情報に示されるマーカーが印刷である場合（図３のステップＳ７：ＹＥＳ）、画像処理部５８によってマーカーを明瞭にした第１画像と、マーカー情報とを比較する（図３のステップＳ８）。一方、画像認識部５９は、マーカー情報に示されるマーカーが刻印である場合（図３のステップＳ７：ＮＯ）、画像処理部５８によってマーカーを明瞭にした第２画像と、マーカー情報とを比較する（図３のステップＳ９）。
【００４３】
例えば、画像認識部５９は、マーカー情報と同じマーカーの画像が第１画像内に存在するかどうか、また存在するとすればどこに存在するかを、マーカー情報と第１画像又は第２画像との相対位置を網羅的に変化させて類似度を計測することで判定する。類似度の計測には、例えば、上記の数式に示す正規化相関や、輪郭線形状（エッジ要素）の比較が用いられる。
【００４４】
そして、画像認識部５９は、マーカー情報及び第１画像又は第２画像に示されたマーカーの類似度が最も高い候補情報（識別情報）に示された薬剤の種類を、認識対象の薬剤の種類として判定（認識）する（図３のステップＳ１０）。ここで認識された薬剤の種類は、表示部５４によってユーザーに向けて表示される。
【００４５】
上記したように、本実施形態によれば、画像処理システム１は、載置台１３と、撮像装置２０と、ドーム型照明３２と、リング型照明３１と、データベース４０と、画像処理装置５０とを備える。載置台１３は、認識対象の薬剤を載置する。撮像装置２０は、載置台１３に対向して配置され、薬剤を撮像する。ドーム型照明３２は、載置台１３と撮像装置２０との間に設けられ、載置台１３に載置された薬剤を覆い、薬剤の撮像装置２０側の面に向けて光を照射する。リング型照明３１は、載置台１３に載置された薬剤を側方から囲い、薬剤の頂部に向けて光を照射する。データベース４０は、複数種類の薬剤のそれぞれについて、種類の識別のために外形情報及びマーカー情報からなる複数の識別情報を予め登録する。画像処理装置５０は、撮像装置２０及びドーム型照明３２を用いて薬剤を撮像した第１画像と、複数の識別情報のそれぞれの外形情報とを比較して、第１画像に示される薬剤の外形に類似する外形情報の識別情報を、候補情報として検出する。そして、画像処理装置５０は、候補情報のマーカー情報が刻印である場合、撮像装置２０及びリング型照明３１を用いて薬剤を撮像した第２画像と、候補情報のマーカー情報とを比較して、薬剤の種類を判定（認識）する。
【００４６】
このような構成によれば、ドーム型照明３２は全方位から均等に光を照射するので、薬剤の表面の光沢の発生を抑制することができるため、薬剤の外形や色を適切に示す第１画像を撮像することができる。また、薬剤が透明フィルム製の包装で覆われていても、ドーム型照明３２は、フィルム表面の照明の映り込みや光沢の発生を抑制することができるので、包装を透過して薬剤の外形や色を適切に示す第１画像を撮像することができる。更に、ドーム型照明３２は、複数の薬剤を撮像する場合でも、隣接する薬剤に対して照明を遮蔽することがないので、複数の薬剤の外形を明瞭にした第１画像を撮像することができる。このような第１画像を用いることで、データベース４０に登録された複数の識別情報の内、外形や色の類似度が高い候補情報を適切に検出することができる。
【００４７】
また、リング型照明３１は側方から薬剤の頂部に向けて水平に光を照射するので、刻印のマーカーの陰影を明瞭にした第２画像を撮像することができる。このような第２画像を用いることで、薬剤に付された刻印のマーカーと、候補情報のマーカー情報との比較を高精度に行うことができ、刻印のマーカーが付された薬剤の種類を適切に認識することができる。なお、ドーム型照明３２は、薬剤の表面の光沢の発生を抑制するので、薬剤に付された印刷のマーカーを適切に示す第２画像を撮像することができる。このような第２画像を用いることで、薬剤に付された印刷のマーカーと、候補情報のマーカー情報との比較を高精度に行うことができ、印刷のマーカーが付された薬剤の種類を適切に認識することができる。
【００４８】
従って、本実施形態の画像処理システム１では、薬剤の外観上の特性、包装の有無、マーカーの特徴等の様々な状況に対して、個別に構成された装置を用意することなく、統一的な構成によって、各薬剤の種類を適切に認識することができる。また、簡易な操作によって薬剤認識を行うことができ、薬剤の状況に合わせた処理を自動的に行うので、ユーザーの負担を軽減すると共に、薬剤認識の正確性を向上することが可能である。
【００４９】
なお、上記した実施形態では、ドーム型照明３２は、リング型照明３１と同じ厚さを有し、リング型照明３１から連続した内周面及び外周面を有する例を説明したが、リング型照明３１及びドーム型照明３２は、この例に限定されない。例えば、他の実施形態では、リング型照明３１の内周面は、ドーム型照明３２の内周面より大きな直径で形成されて、リング型照明３１が、ドーム型照明３２に比べて、より離間した位置で薬剤に照射するように構成されてもよい。あるいは、リング型照明３１の内周面は、ドーム型照明３２の内周面より小さな直径で形成されて、リング型照明３１が、ドーム型照明３２に比べて、より近接した位置で薬剤に照射するように構成されてもよい。なお、リング型照明３１の外周面は、リング型照明３１の内周面の形状に合わせて形成されてよく、ドーム型照明３２の外周面の形状に合わせる必要はない。
【００５０】
上記した実施形態では、リング型照明３１は、載置台１３の中心の周りに間隔を空けて配置された複数の第１光源３３ａ（光源）からなる第１光源群３３（光源群）を備え、ドーム型照明３２は、複数の第２光源３５ａからなる複数の第２光源群３５を備える構成を説明した。ここで、リング型照明３１とドーム型照明３２とが一体的に構成される場合、載置台１３上の中心に対して最も小さい仰角で配置されたドーム型照明３２の第２光源群３５を、リング型照明３１の第１光源群３３として適用してもよい。
【００５１】
このように、ドーム型照明３２の一部を用いてリング型照明３１を構成することで、照明装置３０の構成、配置及び制御を取り扱い易くすることができる。
【００５２】
上記した実施形態では、ドーム型照明３２が均一した所定の厚さを有する中空の半球状に形成される例を説明したが、ドーム型照明３２は、この例に限定されない。例えば、他の実施形態では、ドーム型照明３２は、上方に向かって縮径する多角形筒状に形成されてもよい。
【００５３】
上記した実施形態では、載置装置１０の上方に照明装置３０を設け、照明装置３０の上方に撮像装置２０を設けて、載置装置１０に載置された薬剤を上方から撮像する構成を説明したが、本発明の画像処理システム１は、この構成に限定されない。例えば、他の実施形態の画像処理システム１では、載置装置１０の下方に照明装置３０を設け、照明装置３０の下方に撮像装置２０を設けて、載置装置１０に載置された薬剤を下方から撮像するように構成されてもよい。この場合、載置装置１０、撮像装置２０及び照明装置３０は、図１とは上下反転した状態で配置され、照明装置３０において、ドーム型照明３２は、リング型照明３１の下面に設けられる。また、載置装置１０では、載置台１３には、薬剤を収容して落下を防止する箱型状の薬剤ケース（図示せず）が設けられ、薬剤ケースは、透明材料で形成される。
【００５４】
上記した実施形態では、データベース４０と画像処理装置５０とが通信可能に接続される例を説明したが、本発明は、この例に限定されない。例えば、他の実施形態では、画像処理装置５０がデータベース４０を含んで構成されてもよい。
【００５５】
上記した実施形態では、リング型照明３１及びドーム型照明３２が拡散光を利用して薬剤を照明する例を説明したが、リング型照明３１及びドーム型照明３２は反射光等を利用して薬剤を照明するように構成されてもよい。
【００５６】
なお、本発明は、上記した構成の画像処理システム１に限定されず、図３に示すようなフローによって薬剤の種類を認識する画像処理方法を実現できれば、他の構成の画像処理システムを採用してもよい。
【００５７】
また、本発明は、請求の範囲及び明細書全体から読み取ることのできる発明の要旨又は思想に反しない範囲で適宜変更可能であり、そのような変更を伴う画像処理システムもまた本発明の技術思想に含まれる。
【符号の説明】
【００５８】
１  画像処理システム
１０  載置装置
１１  筐体
１１ａ  底面
１１ｂ  壁面
１１ｃ  引出開口
１２  摺動板
１３  載置台
２０  撮像装置
２１  カメラ
２２  レンズ
３０  照明装置
３１  リング型照明
３２  ドーム型照明
３２ａ  カメラ開口
３３  第１光源群
３３ａ  第１光源
３４  拡散板
３５  第２光源群
３５ａ  第２光源
３６  拡散板
４０  データベース
５０  画像処理装置
５１  制御部
５２  記憶部
５３  通信部
５４  表示部
５５  操作部
５６  カメラ制御部
５７  照明制御部
５８  画像処理部
５９  画像認識部
【図１】
2019154622.tif 000004
【図２】
2019154622.tif 000005
【図３】
2019154622.tif 000006